(57)【要約】      （修正有）【課題】販売業者が、発注者、お届け先などの消費者に関する住所、氏名、電話番号などの個人情報を、生産業者に伝えないで、希望する商品を消費者に届ける配送方法を提供する。【解決手段】発注者が、発注書と共に販売業者に送金手続き又は現金払いを行うプロセス、販売業者が発注書に従い生産業者コードの生産業者に、配送票を送り、商品コードの商品と個数を所定通り梱包するプロセス、生産業者が商品と個数と配送票の商品仕様に基づく準備ができる日時を販売業者に知らせるプロセス、販売業者が運送業者に、運送依頼票を送るプロセス、運送業者が生産業者から、配送票に基づき、所定通り梱包された商品と個数を受け取り、受け取り確認票を生産業者に手渡すプロセス、運送業者が、所定通り梱包された商品に運送依頼票を貼り付けるプロセス運送業者が、所定通り梱包された商品をお届け先に届けるプロセス、等からなる配送を管理する方法。【選択図】図１
2011237843.tif 000002
【特許請求の範囲】
【請求項１】
（A）発注者が、生産業者コード、商品コード、注文個数、金額、発注者、お届け先、お届け希望日、商品仕様を記載した発注書と共に販売業者に送金手続き又は現金払いを行うプロセス、（Ｂ）販売業者が発注書に従い生産業者コードの生産業者に、運送業者コード、照合番号、受け取り確認欄、生産業者コード、商品コード、注文個数、金額、お届け希望日、商品仕様などのデータを送信し、または、それらの情報を記載した配送票（発注書の内容から発注者、お届け先、を除き、運送業者コードと照合番号、受け取り確認欄、を付与したもの）を送り、商品コードの商品と個数を所定通り梱包するプロセス、（Ｃ）生産業者コードの生産業者が商品コードの商品と個数と配送票の商品仕様に基づく準備ができる日時を販売業者に知らせるプロセス、（Ｄ）販売業者が運送業者コードの運送業者に、照合番号、生産業者コード、受け取り確認欄、商品コード、注文個数、金額、発注者、お届け先、お届け希望日、商品仕様などのデータを送信し、または、それらの情報を記載した運送依頼票（発注書に照合番号と受け取り確認欄を付したもの：照合番号と受け取り確認欄のみ切り取れる）を送るプロセス、（E）運送業者コードの運送業者が生産業者コードの生産業者から、配送票及び／又は配送リストの照合番号に基づき、所定通り梱包された商品コードの商品と個数を受け取り、運送業者コードの運送業者の受け取り確認欄を生産業者に手渡すプロセス、（Ｆ）運送業者コードの運送業者が、所定通り梱包された商品コードの商品に運送依頼票を貼り付けるプロセス、（Ｇ）運送業者コードの運送業者が、所定通り梱包された商品コードの商品をお届け先に届けるプロセス、（Ｈ）お届け先が運送依頼票の受け取り、確認欄にお届け先の印鑑もしくはサインをするプロセス、（I）受け取ったお届け先の印鑑もしくはサインした運送依頼票を販売業者に届けるプロセス、（Ｊ）販売業者が運送業者コードの運送業者に送金をするプロセス、（Ｋ）販売業者が生産業者コードの生産業者に送金をするプロセス、（Ｌ）販売業者がお届け通知を必要とする発注者に商品が届いたことを通知するプロセスからなる配送方法。
【請求項２】
プロセス（Ｂ）において、販売業者が発注書に従い生産業者コードの生産業者に送る配送票（発注書の内容から発注者、お届け先を除き、運送業者コードと照合番号、受け取り確認欄、を付与したもの）を、ファックス、インターネット、携帯電話（モバイル端末）で送り、生産業者コードの生産業者は送られた配送票に基づいて、又は、生産業者が販売業者のサーバにアクセスして当該情報（発注者、お届け先の情報は含まない）を入手し作成した配送票に基づいて、商品コードの商品と個数を所定通り梱包する請求項１に記載した配送方法。
【請求項３】
プロセス（Ｃ）において、生産業者コードの生産業者が商品コードの商品と個数と配送票の商品仕様に基づく準備ができる日時を販売業者に知らせるプロセスを、ファックス、インターネット、携帯電話（モバイル端末）で行う請求項１又は請求項２に記載した配送方法。
【請求項４】
プロセス（Ｄ）において、販売業者が運送業者コードの運送業者に、照合番号、生産業者コード、受け取り確認欄、商品コード、注文個数、金額、発注者、お届け先、お届け希望日、商品仕様を記載した運送依頼票（発注書に照合番号と受け取り確認欄を付したもの：照合番号と受け取り確認票のみ切り取れる）を送るプロセスを、ファックス、インターネット、携帯電話（モバイル端末）で行うか、又は、運送業者が販売業者のサーバにアクセスして当該情報を入手する方法による、請求項１ないし請求項３のいずれかひとつに記載した配送方法。
【請求項５】
（Ｃ）において、生産業者コードの生産業者が商品コードの商品と個数と配送票の商品仕様に基づく準備ができる日時を販売業者に知らせるプロセスに、販売業者に加えて運送業者コードの運送業者にも知らせる請求項１ないし請求項４のいずれかひとつに記載した配送方法。
【請求項６】
プロセス（Ｄ）において、販売業者が運送業者コードの運送業者に、照合番号、生産業者コード、受け取り確認欄、商品コード、注文個数、金額、発注者、お届け先、お届け希望日、商品仕様を記載した運送依頼票（発注書に照合番号と受け取り確認欄を付したもの：照合番号と受け取り確認票のみ切り取れる）の送付と同時に配送票のうち運送業者コードの運送業者に、照合番号のみの配送品リストも送付する請求項１ないし請求項５のいずれかひとつに記載した配送方法。
【請求項７】
（１）発注者は、インターネットの広告、宣伝等を見て、欲しい商品の発注書に基づいて、生産業者コード、商品コード、注文個数、金額、発注者、お届け先、お届け希望日、商品仕様の欄をクリックし、販売業者サーバに送信し、送金手続きをし、販売業者は、送金を確認後、発注書の生産業者コード、商品コード、注文個数、金額、発注者、お届け先、お届け希望日、商品仕様を確認し、生産業者コードの生産業者に、インターネットを介して、生産業者サーバに、照合番号、商品コード、注文個数、お届け希望日、商品仕様を記載した配送票を送付し、生産業者コードの生産業者が商品コードの商品と個数と配送票の商品仕様に基づく準備ができる日時を、インターネットを介して、販売業者に知らせ、
（２）準備ができる日時を確認した販売業者は、照合番号、生産業者コード、受け取り確認欄、商品コード、注文個数、お届け先、お届け希望日、商品仕様を記載した運送依頼票を、インターネットを介して、運送業者コードの運送業者サーバへ送付し、
（３）生産業者コードの生産業者は、販売業者のサーバから送られてきた配送票、又は生産業者が販売業者のサーバにアクセスして入手したデータ（発注者、お届け先の情報は含まない）で作成した配送票の商品コードの商品、注文個数等を所定通りの梱包した商品を、照合番号を確認した後、運送業者コードの運送業者へ渡し、
（４）運送業者コードの運送業者は、販売業者サーバから送られた運送依頼票、又は運送業者が販売業者のサーバにアクセスして入手したデータで作成した運送依頼票の照合番号及び／又は配送リストを確認し、運送依頼票及び又は配送リストに基づき、生産業者コードの生産業者から、所定通り梱包された商品コードの商品を該当個数受け取り、配送票の照合番号と運送業者コードの運送業者の受け取り確認欄に捺印又はサインをし、
（５）運送業者コードの運送業者は、確認済みの所定数の各梱包に運送依頼票を貼り付け、トラックに積み込み、お届け希望日、お届け希望時間を確認し、運送業者コードの運送業者は、所定通り梱包された商品コードの商品をお届け希望日、お届け希望時間にお届け先に届け、お届け先の受け取り確認欄に捺印又はサインをもらった運送依頼票を販売業者に届け、お届け先の受け取り確認欄に捺印又はサインを確認後、販売業者は運送業者コードの運送業者に送金をし、さらに販売業者は生産業者コードの生産業者に送金をし、場合によっては、販売業者がお届け通知を必要とする発注者に商品が届いたことを通知する配送方法において、発注者又はお届け先の顧客情報が、生産業者に漏れないように、発注者、お届け先の情報に関して、生産業者のアクセスをブロックするか、発注者、お届け先の情報に関して、販売業者のサーバに生産業者からのアクセスを不能としたことを特徴とする、インターネットを用いてその配送を管理する方法。
【請求項８】
発注者の送金手続を、クレジットカード若しくは電子マネーで支払う請求項１ないし請求項７のいずれか一つに記載された配送方法又は管理方法。
【請求項９】
発注者がお届け先と同一人物である場合、発注者の送金手続を、着払い若しくはコンビニエンス払いにより支払う請求項１ないし請求項７のいずれか一つに記載された配送方法又は管理方法。
【発明の詳細な説明】
【技術分野】
【０００１】
本発明は、販売業者が仲介して生産業者などの商品を消費者に販売する方法において、販売業者が、消費者の商品注文を受け、生産業者に商品を発注し、運送業者に依頼して、消費者に商品を届ける配送方法、及びインターネットを用いてその配送を管理する方法に関するものである。
【背景技術】
【０００２】
近年、販売業者が仲介して、生産業者などの産物や商品を希望する消費者に、それらの商品を届ける販売業者が増大している。
しかし、消費者の個人情報が生産業者などの商品提供者側に伝わるため、商品提供者（以下、生産業者という）は販売業者を通さずにダイレクトに消費者と取引するケースが増えている。
そのため、販売業者はせっかく商品を宣伝しても、売上が伸びないケースが増えている。
【０００３】
従来の配送方法においては、図２に示すように、（a）発注者が、生産業者コード、商品コード、注文個数、金額、発注者、お届け先、お届け希望日、商品仕様を記載した発注書と共に販売業者に送金手続き又は現金払いを行うプロセス、（b) 販売業者が発注書を生産業者コードの生産業者に送り、生産業者コードの生産業者が、発注書どおりに商品コードの商品と個数を所定通り梱包し、所定通り梱包された商品コードの商品に発注書どおりのお届け先等の記載された配送票を貼り付けるプロセス、 (c) 生産業者コードの生産業者が運送業者に所定通り梱包された商品コードの商品の運送を依頼するプロセス、 (d) 運送業者が、所定通り梱包された商品コードの商品をお届け先に届けるプロセス、(e) お届け先が運送依頼票の受け取り、確認欄にお届け先の印鑑もしくはサインをするプロセス、 (f) 受け取ったお届け先の印鑑もしくはサインした運送依頼票を販売業者に届けるプロセス、 (g)販売業者が生産業者コードの生産業者に送金をするプロセス、h) 販売業者が運送業者に送金をするプロセス、 (i) 販売業者がお届け通知を必要とする発注者に商品が届いたことを通知するプロセスであった。
このために、発注者、お届け先などの消費者の個人情報が生産業者側に伝わってしまう結果を招いていた。
【０００４】
また、個人情報をできるだけ秘密にしようとする配送方法がある。例えば、セキュリティや、プライバシー保護の要請により、互いに本名や住所を明かすことは避けたいが、相手に対して電子データではなく、現実の物品を配送したい場合が想定される。プロジェクトの途中で物品としての形態をとるプロトタイプを発送する、相手に思いがけない記念品や贈り物を発送する等の場合に用いられる配送方法である。宅配ＩＤ生成管理サーバを用いて匿名配送方法で、匿名配送するシステムが提案されている（特許文献１）。ここには、宅配ＩＤ生成管理サーバにおいて、第１ユーザ端末から、宅配ＩＤ発行要求と、第２ユーザ端末の識別情報を受信し、前記宅配ＩＤ発行要求に応じて、前記第１ユーザ端末用の第１宅配ＩＤと、前記第２ユーザ端末用の第２宅配ＩＤを生成し、前記第１ユーザ端末に対して、前記第１宅配ＩＤと、第２宅配ＩＤを送信し、前記第２ユーザ端末に対して、前記第１宅配ＩＤと、前記第１ユーザ端末の識別情報を送信し、前記第１ユーザ端末に送信された前記第１宅配ＩＤと第２宅配ＩＤに基づいて配送業者の端末装置に入力された前記第１宅配ＩＤと第２宅配ＩＤを、配送情報要求とともに、前記配送業者の端末装置から受信し、前記配送情報要求に応じて、少なくとも前記第２宅配ＩＤに対応する第２ユーザ端末のユーザ情報を検索して、検索結果を前記配送業者の端末装置に送信し、前記配送業者の端末装置において、前記ユーザ情報に基づき、前記第２ユーザ端末のユーザ宛ての配送用紙を、配送依頼者を前記第１宅配ＩＤのみで特定して出力することを特徴とする匿名配送方法が開示されている。
【０００５】
さらに、個人情報が印字されたラベルを用いない配送システム及び配送方法が知られている。（特許文献２）ここには、配送元から預かった所定の配送物を配送先に設置された郵便受けに投函することによって配送する配送システムであって、上記配送物の配送業務を受注する宅配業者が所持する端末機であり、少なくとも上記宅配業者が上記配送元から受注した上記配送物の数量管理を行う宅配業者端末機を備え、上記配送物は、上記配送先の氏名を含む個人情報の記載及び／
又は当該個人情報が印字されたラベルの貼付がされていないものであり、上記配送先に設置された郵便受けに上記配送物を投函する配送人は、上記宅配業者から配布された配送管理票であり、上記配送先に関する情報として、当該配送先の氏名が設けられずに、少なくとも当該配送先の住所が設けられた配送管理票に基づいて配送することを特徴とする配送システムが開示されている。
【０００６】
また、暗号を用いる配送物の配送システムが知られている。（特許文献３）ここには、配送物の配送を配送業者に委託する送付者の送付者端末装置と、
前記配送物を受け取る受取者の受取者端末装置とが、 公衆回線網を介して接続されており、前記受取者端末装置は、 所定のメディアを介して前記配送業者の公開鍵を取得し、
前記公開鍵を使用して、 少なくとも配送物の配送に必要な受取者の個人情報からなる受取者情報を暗号化して受取者暗号情報を生成し、 前記受取者暗号情報を前記送付者端末装置に送信し、前記送付者端末装置は、
前記送信された受取者暗号情報を前記配送業者に委託する配送物に添付するために出力し、前記出力された受取者暗号情報は、 前記配送業者の暗号読取装置により、 前記配送業者の秘密鍵を使用して前記受取者暗号情報を復号化されて、
前記受取人情報が前記配送業者に取得される、ことを特徴とする配送物の配送システムが開示されている。
しかし、生産業者を対象にして、発注者、お届け先などの消費者の個人情報を秘密にする配送方法は考えられていなかった。
【先行技術文献】
【特許文献】
【０００７】
【特許文献１】特開２００９−２５８８５４号公報
【特許文献２】特開２００６−３２１６４７号公報
【特許文献３】特開２００４−１１０４２５号公報
【発明の概要】
【発明が解決しようとする課題】
【０００８】
本発明では、発注者、お届け先などの消費者の個人情報が生産業者側に伝わるため、生産業者は販売業者を通さずにダイレクトに消費者と取引するケースが増えている。
そのため、販売業者はせっかく商品を宣伝しても、売上が伸びないケースが増えている。
販売業者が、発注者、お届け先などの消費者に関する住所、氏名、電話番号などの個人情報を、生産業者に伝えないで、希望する商品を消費者に届ける配送方法を提供する。
【課題を解決するための手段】
【０００９】
本発明は、（A）発注者が、生産業者コード、商品コード、注文個数、金額、発注者、お届け先、お届け希望日、商品仕様を記載した発注書と共に販売業者に送金手続き又は現金払いを行うプロセス、（Ｂ）販売業者が発注書に従い生産業者コードの生産業者に、運送業者コード、照合番号、受け取り確認欄、生産業者コード、商品コード、注文個数、お届け希望日、商品仕様を記載した配送票（発注書の内容から発注者、お届け先、金額を除き、運送業者コードと照合番号、受け取り確認欄、を付与したもの）を送り、商品コードの商品と個数を所定通り梱包するプロセス、（Ｃ）生産業者コードの生産業者が商品コードの商品と個数と配送票の商品仕様に基づく準備ができる日時を販売業者に知らせるプロセス、（Ｄ）販売業者が運送業者コードの運送業者に、照合番号、生産業者コード、受け取り確認欄、商品コード、注文個数、金額、発注者、お届け先、お届け希望日、商品仕様を記載した運送依頼票（発注書に照合番号と受け取り確認欄を付したもの：照合番号と受け取り確認欄のみ切り取れる）を送るプロセス、（E）運送業者コードの運送業者が生産業者コードの生産業者から、配送票の照合番号及び／又は配送リストの照合番号に基づき、所定通り梱包された商品コードの商品と個数を受け取り、運送業者コードの運送業者の受け取り確認欄を生産業者に手渡すプロセス、（Ｆ）運送業者コードの運送業者が、所定通り梱包された商品コードの商品に運送依頼票を貼り付けるプロセス、（Ｇ）運送業者コードの運送業者が、所定通り梱包された商品コードの商品をお届け先に届けるプロセス、（Ｈ）お届け先が運送依頼票の受け取り、確認欄にお届け先の印鑑もしくはサインをするプロセス、（I）受け取ったお届け先の印鑑もしくはサインした運送依頼票を販売業者に届けるプロセス、（Ｊ）販売業者が運送業者コードの運送業者に送金をするプロセス、（Ｋ）販売業者が生産業者コードの生産業者に送金をするプロセス、（Ｌ）販売業者がお届け通知を必要とする発注者に商品が届いたことを通知するプロセス、からなる配送方法である。
【００１０】
また本発明では、プロセス（Ｂ）において、販売業者が発注書に従い生産業者コードの生産業者に、運送業者コード、照合番号、受け取り確認欄、生産業者コード、商品コード、注文個数、お届け希望日、商品仕様を記載した配送票（発注書の内容から発注者、お届け先、金額を除き、運送業者コードと照合番号、受け取り確認欄、を付与したもの）を送るプロセスを、ファックス、インターネット、携帯電話（モバイル端末）で行うことができる。また、生産業者が販売業者のサーバにアクセスして当該情報を入手することもできる。
プロセス（Ｄ）において、販売業者が運送業者コードの運送業者に、照合番号、生産業者コード、受け取り確認欄、商品コード、注文個数、金額、発注者、お届け先、お届け希望日、商品仕様を記載した運送依頼票（発注書に照合番号と受け取り確認欄を付したもの：照合番号と受け取り確認欄のみ切り取れる）を送るプロセスをファックス、インターネット、携帯電話（モバイル端末）で行うことができる。また、運送業者が販売業者のサーバにアクセスして当該情報を入手することもできる。
さらに本発明では、プロセス（Ｃ）において、生産業者コードの生産業者が商品コードの商品と個数と配送票の商品仕様に基づく準備ができる日時を販売業者に知らせるプロセスに、販売業者に加えて運送業者コードの運送業者にも知らせることができる。
また、本発明では、プロセス（Ｄ）において、販売業者が運送業者コードの運送業者に、照合番号、生産業者コード、受け取り確認欄、商品コード、注文個数、金額、発注者、お届け先、お届け希望日、商品仕様を記載した運送依頼票（発注書に照合番号と受け取り確認欄を付したもの：照合番号と受け取り確認欄のみ切り取れる）の送付と同時に配送票のうち運送業者コードの運送業者に、照合番号のみの配送品リストも送付することができる。
さらにまた本発明では、インターネット、携帯電話（モバイル端末）における通信を、暗号処理して行うことができる。
【００１１】
また本発明は、（１）発注者は、インターネットの広告、宣伝等を見て、欲しい商品の発注書に基づいて、生産業者コード、商品コード、注文個数、金額、発注者、お届け先、お届け希望日、商品仕様の欄をクリックし、販売業者サーバに送信し、送金手続きをする。販売業者は、送金を確認後、発注書の生産業者コード、商品コード、注文個数、金額、発注者、お届け先、お届け希望日、商品仕様を確認し、生産業者コードの生産業者に、インターネットを介して、生産業者サーバに、照合番号、商品コード、注文個数、お届け希望日、商品仕様などのデータを送信し、または、それらの情報を記載した配送票を送付し、生産業者コードの生産業者が商品コードの商品と個数と配送票の商品仕様に基づく準備ができる日時を、インターネットを介して、販売業者に知らせ、
（２）準備ができる日時を確認した販売業者は、照合番号、生産業者コード、受け取り確認欄、商品コード、注文個数、お届け先、お届け希望日、商品仕様などのデータを送信し、または、それらの情報を記載した運送依頼票を、インターネットを介して、運送業者コードの運送業者サーバへ送付し、
（３）生産業者コードの生産業者は、販売業者のサーバから送られてきた配送票の商品コードの商品、注文個数等を所定通りの梱包した商品を用意し、照合番号を確認し準備しておく。
（４）運送業者コードの運送業者は、販売業者サーバから送られた運送依頼票の照合番号及び又は配送リストを確認し、運送依頼票及び又は配送リストに基づき、生産業者コードの生産業者から、所定通り梱包された商品コードの商品を該当個数受け取り、配送票の照合番号と運送業者コードの運送業者の受け取り確認欄に捺印又はサインをし、
（５）運送業者コードの運送業者は、確認済みの所定数の各梱包に運送依頼票を貼り付け、トラックに積み込み、お届け希望日、お届け希望時間を確認し、運送業者コードの運送業者は、所定通り梱包された商品コードの商品をお届け希望日、お届け希望時間にお届け先に届け、お届け先の受け取り確認欄に捺印又はサインをもらった運送依頼票を販売業者に届け、お届け先の受け取り確認欄に捺印又はサインを確認後、販売業者は運送業者コードの運送業者に送金をし、さらに販売業者は生産業者コードの生産業者に送金をし、場合によっては、販売業者がお届け通知を必要とする発注者に商品が届いたことを通知する配送方法において、発注者又はお届け先の顧客情報が、生産業者に漏れないように、発注者、お届け先の情報に関して、生産業者のアクセスをブロックするか、発注者、お届け先の情報に関して、販売業者のサーバに生産業者からのアクセスを不能としたことを特徴とする、インターネットを用いてその配送を管理する方法である。
【発明の効果】
【００１２】
本発明の配送方法は、生産業者と消費者の直接取引を防ぐことができるので、販売業者にとって、消費者からの再受注の機会を確保でき、消費者に対する宣伝活動が無駄にならず、商品の値崩れ起こすことがなく、生産業者にとって安定した利益をもたらし、販売業者にも、生産業者にも新しい商品の開発意欲が盛んになり、最終的には消費者にとって利益をもたらす結果になる。また、個人情報のむやみな流出を防ぐので、個人情報の保護の観点からも有効な方法である。
【図面の簡単な説明】
【００１３】
【図１】商品カタログ
【図２】従来の配送方法のフロー
【図３】本発明における配送方法のフローの一例
【図４】発注書の一例
【図５】配送票の一例
【図６】運送依頼票の一例
【図７】配送品リスト
【図８】実施例２の概略図
【発明を実施するための形態】
【００１４】
本発明において用いるカタログの一例を図１に示すが、このほかにもカタログには種々の特性や調理方法、保存方法、賞味期限、特性評価、使用方法、取扱い注意事項など各種の注意書き等書き加えることができる。
従来の配送方法のフローを図２に示す。
(a)    
このプロセスでは、発注者が商品をカタログで探して、図４に示す発注書を用いて商品のカタログコード、生産業者コード、商品コード、商品個数、お届け先の住所氏名を書いて、現金もしくは送金により、発注を行う。
(b)    
このプロセスでは、注文を受けた販売業者が、生産業者コードの生産業者に発注書の内容に従って、商品コードの商品を注文個数、注文通りの包装を行い、発注書記載の発注者からお届け先に、商品コードの商品を注文個数、お届け期間内の指定時間に届けるよう指示する。
(c) このプロセスでは、生産業者コードの生産業者は、販売業者の指示通り、商品コードの商品を注文個数、指示通り包装し、指示通りのお届け期間内の指定時間に、発注書記載の発注者からお届け先に、届けるように運送業者に依頼する。
(d) このプロセスでは、運送業者は、商品コードの商品を注文個数、お届け期間内の指定時間に届けする。
(e) このプロセスでは、お届け先は、運送依頼票に、商品を受け取ったサイン若しくは捺印をする。
(f) このプロセスでは、サイン若しくは捺印済みの運送依頼票を販売業者に送付する。
(g) このプロセスでは、販売業者が生産業者コードの生産業者に送金をする。
(h) このプロセスでは、販売業者が運送業者コードの運送業者に送金をする。
(i) このプロセスでは、販売業者がお届け通知を必要とする発注者に商品が届いたことを通知する。
ことが一般的に行われている。
しかし、（ｂ）プロセス及び（ｃ）プロセスからも明らかなように、販売業者が商品コードの商品の配送について、従来の配送方法では、発注者やお届け先の情報をすべて生産業者に知らせてしまうことになるので、生産業者と消費者との直接取引を可能としてしまうが、不況の際とか、販売不振の際には、更に生産業者は販売業者を通さずにダイレクトに消費者と取引するケースが増え、ダンピングや値崩れをおこし、また、消費者からの再受注の機会を喪失し、販売業者はせっかく商品を宣伝しても、売上が伸びないケースが増えている。
【００１５】
本発明では、生産業者に発注者やお届け先などの消費者に関する情報を遮断すること、及び／又は、インターネットにより、正当な競争がおこなわれる商品の配送方法を見出したものである。
本発明において用いる発注書の一例を図４に示す。本発明において、ここで商品仕様とは、商品の包装、のし紙の種類、リボン付け等のギフト形式の包装などをいう。
ここには、発注者、お届け先に関する情報は記載されていなければならない。
また、本発明において用いる配送票の一例を図５に示す。
配送票は、販売業者が生産業者に商品とその個数、包装仕様とお届け時間を知らせるものであり、票の一部に、商品コードの商品を何個受け取ったことを確認するため、運送業者コードの運送業者による捺印若しくはサインをする欄が設けられている。この欄は、必要により、ミシン線等を設けて切り取れるようにしても良い。また、必要に応じて切り取っても切り取らなくとの良い。
生産業者コードの生産業者は、指定時間までに、商品コードの商品と個数と配送票の商品仕様に基づく準備ができる日時を販売業者に知らせることになる。
本発明で用いる配送票には、発注者、お届け先に関する情報は一切記載しないことが重要である。
【００１６】
運送業者コードの運送業者は、生産業者コードの生産業者のところへ出向いて、配送票に書かれた商品コードの商品を所定の個数受け取る。間違いがなければ、配送票の受け取り確認欄へ捺印若しくはサインをする。
さらに本発明において用いる運送依頼票の一例を図６に示す。ここには、発注者、お届け先に関する情報が必要である。配送票の受け取り確認欄へ捺印若しくはサインをする際、運送依頼票の内容と一致しているか確認を必要とする場合、発注者、お届け先に関する情報が生産業者側に伝わらないように、この部分を不透明な粘着剤付きのシートで覆っても良い。また、確認するために、運送依頼票を使わずに、図７に示す配送品リストを送付して配送品リストにより、生産業者コードの生産業者に指定時間までに出向いて、何個の商品コードの商品を受け取るかを確認することができる。
運送業者コードの運送業者は、受け取った商品コードの商品を指定された日時に届け、運送依頼票の一部にある受け取り確認欄に、お届け先の受領確認の捺印かサインをしてもらう。
【００１７】
本発明において、販売業者は、各生産業者、各運送業者と通信を行うに際して、カタログ、発注書、配送票、運送依頼票、配送品リストをファックス、携帯電話（モバイル端末）、パソコンを用いて行うことができる。携帯電話（モバイル端末）やパソコンにプリンター機能を付加しておくこともできる。
本発明で用いる商品カタログ、発注書、配送票、運送依頼票、配送品リストは、いずれも、紙裏面の一部に粘着剤が設けられ、１枚目（正）はボールペンで書き、その写しが２枚目（副）に残る感圧式のインキが塗布されたものを用いるのが好ましい。必要に応じて３枚目、４枚目を追加することもできる。
本発明の具体例を詳細に示すが、本発明はこれらの具体例に拘束されるものではない。
【００１８】
第２の実施例として、上記の「商品仕様」、「配送票」、「運送依頼票」、「配送品リスト」又はそれらのデータを、インターネットを使用し、インターネット上で、それらの確認作業、送付作業、受領作業をやってもよい。インターネットは、パソコンでも、携帯電話でも、モバイル端末でも行える。
本発明では、販売業者は、発注者、お届け先等の消費者情報、顧客情報を、生産業者側に秘密にしておくことが必要である。
【実施例１】
【００１９】
本発明における配送方法のフローの例を図３に示す。
発注者は、カタログを見て、欲しい商品が生産業者コード、商品コードに該当し、そのコード番号と注文個数を確認し、生産業者コード、商品コード、注文個数、金額、発注者、お届け先、お届け希望日、商品仕様を記載した発注書に書き込み、発注書と現金を販売業者に渡す（プロセス（A））。
販売業者は、発注書に従い生産業者コードの生産業者に、運送業者コード、照合番号、受け取り確認欄、生産業者コード、商品コード、注文個数、お届け希望日、商品仕様などのデータを送信し、または、それらの情報を記載した（発注書の内容から発注者、お届け先、金額を削除し、運送業者コードと照合番号、受け取り確認欄、を付与したもの）配送票を作成し、配送票を生産業者コードの生産業者に送る。生産業者コードの生産業者は、送られた配送票に基づいて、商品コードの商品と個数を所定通り梱包し、配送票を各梱包に取り付ける（プロセス（Ｂ））。
生産業者コードの生産業者が商品コードの商品と個数と配送票の商品仕様に基づく準備ができる日時を販売業者に知らせる（プロセス（Ｃ））。
【００２０】
知らせを受けた販売業者は、照合番号、生産業者コード、受け取り確認欄、商品コード、注文個数、発注者、お届け先、お届け希望日、商品仕様などのデータを送信し、または、それらの情報を記載した運送依頼票（発注書から金額を削除し、照合番号と受け取り確認欄を付したもの：照合番号と受け取り確認欄のみ切り取れる）を作成し、運送業者コードの運送業者に運送依頼票を送る（プロセス（Ｄ））。
運送業者コードの運送業者は、運送依頼票を確認し、生産業者コードの生産業者から、配送票及び／又は配送リストの照合番号に基づき、所定通り梱包された商品コードの商品と個数を受け取り、運送業者コードの運送業者の受け取り確認欄を捺印またはサインして生産業者に手渡す。配送票が張り付けられた各梱包を確認するに際して予め販売業者から図７に示すような配送品リストを貰っておいて、各梱包に張り付けられた配送票と比べることにより確認しても良い（プロセス（E））。
【００２１】
運送業者コードの運送業者は、確認済みの所定数の各梱包に運送依頼票を貼り付け、トラックに積み込み、お届け希望日、お届け希望時間を確認する（プロセス（Ｆ））。
運送業者コードの運送業者が、所定通り梱包された商品コードの商品をお届け希望日、お届け希望時間にお届け先に届ける（プロセス（Ｇ））。
お届け先は、運送依頼票の受け取り、確認欄にお届け先の印鑑もしくはサインをする。このとき、運送業者コードの運送業者は、運送依頼票のうち、印鑑もしくはサインした運送依頼票の正本（１枚目）を手元に置く（プロセス（Ｈ））。
運送業者コードの運送業者は、受け取ったお届け先の印鑑もしくはサインした運送依頼票（副本）を販売業者に届ける（プロセス（I））。
販売業者は、運送依頼票の内容通り仕事が行われたことを確認し、運送業者コードの運送業者に送金をする（プロセス（Ｊ））。
販売業者は、運送依頼票の内容通り仕事が行われたことを確認し、生産業者コードの生産業者に送金をする（プロセス（Ｋ））。
販売業者は、運送依頼票の内容通り仕事が行われたことを確認し、お届け通知を必要とする発注者に商品が届いたことを通知する（プロセス（Ｌ））。
【実施例２】
【００２２】
図８を参照しながら説明すると、（１）発注者は、インターネットの広告、宣伝等を見て、欲しい商品の発注書に基づいて、生産業者コード、商品コード、注文個数、金額、発注者、お届け先、お届け希望日、商品仕様の欄をクリックし、販売業者サーバに送信し、送金手続きをする。販売業者は、送金を確認後、発注書の生産業者コード、商品コード、注文個数、金額、発注者、お届け先、お届け希望日、商品仕様を確認し、生産業者コードの生産業者に、インターネットを介して、生産業者サーバに、照合番号、商品コード、注文個数、お届け希望日、商品仕様などのデータを送信し、または、それらの情報を記載した配送票を送付し、生産業者コードの生産業者が商品コードの商品と個数と配送票の商品仕様に基づく準備ができる日時を、インターネットを介して、販売業者に知らせる。
この時、発注者、お届け先等に関する情報は一切、秘密事項とし、生産業者からアクセスしても、ブロックするものとする。
【００２３】
（２）準備ができる日時を確認した販売業者は、照合番号、生産業者コード、受け取り確認欄、商品コード、注文個数、お届け先、お届け希望日、商品仕様などのデータを送信し、または、それらの情報を記載した運送依頼票を、インターネットを介して、運送業者コードの運送業者サーバへ送付する。
この時、販売業者は運送業者に対して発注者、お届け先等に関する情報は、業務上知りえた情報であるので、第三者に知らさないように予め契約書を交わしておくことが望ましい。
【００２４】
（３）生産業者コードの生産業者は、販売業者のサーバから送られてきた配送票の商品コードの商品、注文個数等を所定通りの梱包した商品を用意し、照合番号を確認し準備しておく。
この時、販売業者は運送業者に対して発注者、お届け先等に関する情報は、業務上知りえた情報であるので、とくに生産業者に知らさないように予め契約書を交わしておくことが望ましい。
【００２５】
（４）運送業者コードの運送業者は、販売業者サーバから送られた運送依頼票の照合番号及び又は配送リストを確認し、運送依頼票及び又は配送リストに基づき、生産業者コードの生産業者から、所定通り梱包された商品コードの商品を該当個数受け取り、運送業者コードの運送業者は受け取り確認欄に捺印又はサインをする。
この時、所定の梱包商品を確認するに際して、運送業者は、運送依頼票を用いる場合、運送依頼票の発注者、お届け先の欄を、シールを貼り付けて見えないようにすることもできるが、発注者、お届け先を記載していない配送リストを用いることが好ましい。
【００２６】
（５）運送業者コードの運送業者は、確認済みの所定数の各梱包に運送依頼票を貼り付け、トラックに積み込み、お届け希望日、お届け希望時間を確認し、運送業者コードの運送業者は、所定通り梱包された商品コードの商品をお届け希望日、お届け希望時間にお届け先に届ける。お届け先の受け取り確認欄に捺印又はサインをもらった運送依頼票を販売業者に届ける。お届け先の受け取り確認欄に捺印又はサインを確認後、販売業者は運送業者コードの運送業者に送金をし、さらに販売業者は生産業者コードの生産業者に送金をし、場合によっては、販売業者がお届け通知を必要とする発注者に商品が届いたことを通知する配送方法において、発注者又はお届け先の顧客情報が、生産業者に漏れないように、発注者、お届け先の情報に関して、生産業者のアクセスをブロックするか、発注者、お届け先の情報に関して、販売業者のサーバに生産業者からのアクセスを不能としたことを特徴とする、インターネットを用いてその配送を管理する。
本発明で重要なことは、生産業者に対して、発注者又は消費者の情報を漏れないように、情報の遮断をしておくことが必要である。販売業者は、システムの開発・運用、広告又は宣伝で多額の費用をかけ、発注者又は消費者の開拓をするため、先行投資をしているので、本発明により消費者ニーズ、消費者マインドを確保することができ、投資を回収することができる。  
【００２７】
さらに、本発明においては、発注者の送金手続を、クレジットカード若しくは電子マネーで支払うことができる。本発明の電子マネーとはスイカ（登録商標）、イコカ（登録商標）、エディ（登録商標）のような電子マネーをいう。
さらに、発注者がお届け先と同一人物である場合、発注者の送金手続を、クレジットカード若しくは電子マネーで支払うことに加えて、着払い若しくはコンビニエンス払いにより支払うことができる。
【産業上の利用可能性】
【００２８】
本発明の配送方法は、新しい物流の流れを作り、結果的には、生産業者、販売業者、消費者にとって安定した利益をもたらすもので、流通産業上極めて有用であり、また、個人情報保護の観点からも有効な方法である。
【図１】
2011237843.tif 000003
【図２】
2011237843.tif 000004
【図３】
2011237843.tif 000005
【図４】
2011237843.tif 000006
【図５】
2011237843.tif 000007
【図６】
2011237843.tif 000008
【図７】
2011237843.tif 000009
【図８】
2011237843.tif 000010